【事件の表示】
　特願２００３−　４５２２０「カメラ装置、表示方法及びプログラム」拒絶査定不服審判事件〔平成１６年　９月　９日出願公開、特開２００４−２５４２５６〕について、次のとおり審決する。
【結　論】
　本件審判の請求は、成り立たない。
【理　由】
第１　経緯
　１　経緯
　本願は、平成１５年２月２４日の出願であって、平成１７年４月８日付けで拒絶理由が通知され、これに対し、平成１７年６月１７日付けで意見書が提出されると同時に手続補正がなされたが、平成１７年１０月７日付け（発送日同年１０月１８日）で拒絶査定がなされたものである。
　本件は、本願についてなされた上記拒絶査定を不服として平成１７年１１月１７日付けで請求された拒絶査定不服審判であって、平成１７年１２月１５日付けで手続補正がなされたものである。
　
　２　査定の概要
　原査定の理由は、概略、次のとおりである。
　
［査定の理由］
　請求項１〜５に係る発明は、下記の刊行物に記載された発明に基いて、当業者が容易に発明をすることができたものであるから、特許法２９条２項の規定により特許を受けることができない。
　　　　　　　　　記
　引用文献１：特開２００１−２１１３５４号公報
　引用文献２：特開平５−２６０３６４号公報
　引用文献３：特開２００２−１０１３３０号公報
　引用文献４：特開２００２−１０１３３号公報
　引用文献５：特開２００１−３２０６１０号公報
　
第２　補正却下の決定
　平成１７年１２月１５日付けの手続補正について次のとおり決定する。
　
［補正却下の決定の結論］
　　平成１７年１２月１５日付けの手続補正を却下する。
　
［理由］
　　本件補正のうち特許請求の範囲についてする補正は特許請求の範囲の減縮を目的とするところ、補正後の請求項１に記載された発明は特許の出願の際独立して特許を受けることができない。
　　本件補正は、特許法１７条の２第５項（同項において準用する同法１２６条５項）の規定に違反するので、特許法１５９条１項において読み替えて準用する同法５３条１項の規定により却下すべきものである。
　
　　補正後の請求項１に記載された発明が特許出願の際独立して特許を受けることができないとする理由の詳細は、以下のとおりである。
　
　１　補正後発明
　　補正後の請求項１に記載された発明（以下「補正後発明」という。）は、以下のとおりである。
　
「撮影待機状態で被写体の画像を表示手段にスルー画像として表示しながら、撮影操作に応答し前記画像を記録する撮影動作を行うカメラ装置において、
　前記撮影動作時における装置の撮影条件を、見本画像の選択操作により選択された撮影シーンに応じた撮影条件に制御する制御手段と、
　前記見本画像の選択操作により選択された撮影条件の選択を決定する撮影条件決定手段と、
　前記撮影モードでの撮影待機状態で、選択可能な複数の撮影シーンを示す複数の見本画像を前記スルー画像と共に前記表示手段に表示させ、さらに該複数の見本画像のうち、現在選択されている見本画像を他の見本画像と区別可能に表示するとともに、前記撮影条件決定手段により撮影条件が決定された際に選択決定された見本画像を一定時間だけ前記スルー画像と共に前記表示手段に表示させる表示制御手段を備えたことを特徴とするカメラ装置。」
　
　２　引用刊行物の記載
　（１）刊行物１：特開２００１−２１１３５４号公報（上記引用文献１）
　　　原査定の拒絶の理由に引用された特開２００１−２１１３５４号公報（以下「刊行物１」という。）には、「電子カメラ」（発明の名称）に関し、図面と共に次に掲げる事項が記載されている。
　　ア　「【発明の属する技術分野】本発明は、ＣＣＤなどの撮像装置で被写体を撮像する電子カメラに関する。」（【０００１】）
　
　　イ　「【従来の技術】撮影レンズを通過する被写体像を撮像する撮像装置と、撮像装置から出力される画像信号に対してホワイトバランスやγ補正などの所定の画像処理を施す画像処理回路と、画像処理後の画像データを表示するモニタと、画像処理後のデータをＪＰＥＧなどの所定の方式で圧縮してフラッシュメモリなどの記録媒体に記録する圧縮回路とを備える電子カメラが知られている。」（【０００２】）
　
　　ウ　「【発明が解決しようとする課題】このような電子カメラでは、たとえば、ホワイトバランス調整処理時の調整条件の設定のような撮影条件を設定する場合に、電子カメラのモニタ上に所定の撮影条件の設定項目を表示させて、表示された設定項目の中から設定内容を選ぶメニュー表示方式が用いられるものがある。このようなメニュー表示方式の場合は、あらかじめ撮影前に所定の設定項目をモニタ上に表示させて、表示された設定項目から所望の項目を選んで設定が行われる。撮影条件の設定が行われた後に、モニタ上の表示を上記設定項目の表示から撮影レンズを通して撮像されているスルー画像の表示に切り換えた状態で撮影が行われる。撮影者は、モニタ上に表示されるスルー画像を確認しながら構図を決定することができる。」（【０００３】）
　　　「ところが、上述したメニュー表示方式の電子カメラでは、モニタ上に行う所定の設定項目の表示とスルー画像の表示とがそれぞれ別々に行われていたので、モニタ上に設定内容を変更するための設定項目を表示してしている間は撮影を行うことができなかった。」（【０００４】）
　
　　エ　「本発明の目的は、設定項目の表示をオン／オフできる設定項目、および撮影レンズを通して撮像されているスルー画像の両方をモニタ上に同時に表示して設定項目の表示中でも撮影できるようした電子カメラを提供することにある。」（【０００５】）
　
　　オ　「収納時または携帯時には、図１に示すように、レンズユニット１aとモニターユニット１bとがフラットになるようにレンズユニット１aを回転する。また、通常撮影時には、図２に示すように、撮影ズームレンズ２が被写体方向を向くようにレンズユニット１aを回転する。このとき、モニターユニット１bは表示ＬＣＤ３が撮影者の方向を向くように保持されるので、撮影者は表示ＬＣＤ３を見ながら撮影を行うことができる。」（【０００９】）
　　　「レンズユニット１aは、撮影ズームレンズ２の他に電子閃光装置４、ファインダー窓５、赤目軽減・セルフタイマー表示ランプ６、ファインダー接眼窓７などを備えている。一方、モニターユニット１bは、表示ＬＣＤ３の他にメインスイッチ８、レリーズボタン９、表示パネル１０、撮影距離ボタン１１、閃光モードボタン１２、画質ボタン１３、モニターボタン１４、メニューボタン１５、ズーム操作スイッチ１６、選択ダイヤル１７、ＡＦ領域選択ボタン１９a〜１９dなどを備えている。」（【００１０】）
　
　　カ　「−記録モード−
　　　電子スチルカメラ１は、被写体像を撮像して画像データを記録する記録モードと、記録された画像データを読出して再生する再生モードの２つの動作モードを有する。メインスイッチ８の切換え操作により、記録モード(REC)と再生モード(PLAY)とが選択される。メインスイッチ８は、PLAY、オフ、RECの少なくとも３つの位置に切換えられる。記録モードは撮像した被写体像を画像データとして記録する動作モードであり、再生モードは記録した画像データを読み出して表示ＬＣＤ３に表示する動作モードである。本実施の形態の説明は、記録モードを中心に行う。」（【００１１】）
　　　「図３は、第一の実施の形態による電子スチルカメラ１の回路を示すブロック図である。メインスイッチ８が記録モード:RECに切換え操作されると、電子スチルカメラ１は電源オンするとともに記録モードに切換えられる。ＣＰＵ２１が所定の制御プログラムを起動させると、撮影ズームレンズ２(図２)に入射する被写体光が撮像装置であるＣＣＤ２６上で結像され、画像信号がアナログ処理回路２７を経てＡ／Ｄ変換回路２８へ送られてデジタル信号に変換される。デジタル変換された信号は、たとえば、ＡＳＩＣとして構成される画像処理ＣＰＵ２９に導かれ、輪郭補償、ガンマ補正等の画像前処理が行われて一旦バッファメモリ３０に格納される。」（【００１２】）
　　　「バッファメモリ３０に一旦記憶された画像データは、画像処理ＣＰＵ２９に制御される表示画像作成回路３１により表示用の画像データに処理される。表示画像作成回路３１は、バッファメモリ３０に格納されている画像前処理後の画像データを読み出し、ＬＣＤモニター３の表示解像度に応じて間引き処理などを行うことにより表示用画像を作成する。表示画像作成回路３１で作成された表示画像データが、スルー画像と呼ばれる撮影モニタ画像として表示ＬＣＤ３に表示される。スルー画像は、以上の動作が繰り返し行われることにより、撮影ズームレンズ２に入射される被写体光に基づいて所定の間隔で逐次更新される。」（【００１３】）
　
　　キ　「半押しスイッチ２２のオン操作に引続いてレリーズスイッチ２３がオン操作されると、測光装置３８による測光結果と閃光モードボタン１２によりあらかじめ設定された閃光モードとに応じて閃光装置４が発光し、撮影ズームレンズ２からの被写体光がＣＣＤ２６の受光面上で結像することにより、ＣＣＤ２６には被写体像の明るさに応じた信号電荷が蓄積される。ＣＣＤ２６に蓄積された信号電荷はドライバ２５により吐き出され、ＡＧＣ回路やＣＤＳ回路などを含むアナログ信号処理回路２７に入力される。アナログ信号処理回路２７でアナログ画像信号に対してゲインコントロール、雑音除去等のアナログ処理が施された後、Ａ／Ｄ変換回路２８によってデジタル信号に変換される。」（【００１９】）
　　　「デジタル変換された信号は、前述した画像処理ＣＰＵ２９に導かれ、そこで輪郭補償、ガンマ補正等の画像前処理が行われて一旦バッファメモリ３０に格納される。そして、ＣＰＵ２１とバッファメモリ３０との間で画像データの授受を行い、格納されている画像データからホワイトバランス調整値が求められる。求められたホワイトバランス調整値に基づいて画像処理ＣＰＵ２９でホワイトバランス調整が行われ、ホワイトバランス調整後の画像データが再びバッファメモリ３０へ格納される。」（【００２０】）
　　　「上述したような画像前処理が行なわれた画像データに対してはさらに、画像処理ＣＰＵ２９により、たとえば、ＪＰＥＧ圧縮のための所定のフォーマット処理(画像後処理)が行なわれ、画像処理ＣＰＵ２９により制御される圧縮回路３２によりＪＰＥＧ方式の所定の比率にデータ圧縮を受ける。画像データがデータ圧縮処理を受けると、圧縮後の画像データがバッファメモリ３０内で占有する占有領域が小さくなるので、バッファメモリ３０は新たな画像データを受け入れることが可能になる。」（【００２１】）
　　　「ＪＰＥＧ方式にデータ圧縮を受けた画像データは、ＣＰＵ２１により所定のデータ名を付与されてリアルタイムクロック３５からのタイム情報とともにフラッシュメモリなどの記録媒体(ＰＣカード、ＣＦカードなど)３４に記録される。記録媒体３４への記録処理が終了すると、一連の撮影処理が終了する。」（【００２２】）
　
　　ク　「−メニュー設定−
　　　メニューボタン１５は、電子スチルカメラ１の撮影条件などを詳細に設定する場合に用いられる。メインスイッチ８が記録モード:RECに切換えられている状態でメニューボタン１５が操作されると、設定変更画面の表示がオンされる。・・・本実施の形態では記録モードに切換えられている場合の動作に特徴があるので、記録モードに切換えられている状態について説明を行う。」（【００２５】）
　　　「設定変更画面の表示は、表示ＬＣＤ３に表示されているスルー画面に重ねて、設定変更画面がオーバレイ表示される。オーバーレイ表示させるための処理は、ＣＰＵ２１の指令により画像処理ＣＰＵ２９で行われる。設定変更画面がオーバーレイ表示される間は、前述の焦点検出領域を示すマーク４Ｖ〜４Ｚ(図４)はオーバーレイ表示されない。図５、図６は電子スチルカメラ１の表示ＬＣＤ３にオーバレイ表示された設定変更画面を説明する図であり、図５(a)はオーバレイ表示された最初の画面である。」（【００２６】）
　　　「図５(a)において、設定変更画面は、ページ番号表示部５１と、第１の項目表示部５２と、タグ表示部５３と、第１の操作説明表示部５４とを有する。電子スチルカメラ１に対して設定する撮影条件などの設定項目数が２１項目ある場合を例にとれば、設定項目は所定数ごとにグループ化され、各々のグループごとにメニュー形式で表示される。グループ化された所定数の設定項目で１枚のページが構成され、複数のページで設定変更画面が構成される。本実施の形態では、表示ＬＣＤ３の表示解像度および表示ＬＣＤ３に表示したときの視認性を考慮して、表示ＬＣＤ３上の一画面に表示可能な設定項目数を７項目と定め、メニューの１〜７番目の設定項目をページ１に、メニューの８〜１４番目の設定項目をページ２に、メニューの１５番目から２１番目までをページ３に収めることにより、合計２１の設定項目を３ページに分類して管理している。なお、設定項目を新たに追加する場合は、ページ４以降を追加して設定項目を収めればよい。」（【００２７】）
　　　「ページ番号表示部５１にはページ番号が表示される。このうち、カーソルにより選択されているページ番号が、選択されていない他のページ番号に比べて強調して(図中は白く)表示される。図５(a)は設定変更画面に切替えられた最初の画面であるので、ページ１が自動的に選択されている。このとき、タグ表示部５３にはページ１の内容を表す「撮影メニュー１」が表示される。第１の項目表示部５２には、ページ１に含まれる１〜７番目の設定項目が表示される。本実施の形態では、ホワイトバランス調整に関する設定項目が「ＷＢ」、測光方式に関する設定項目が「測光」、連写に関する設定項目が「連写」、手ブレ軽減処理に関する設定項目が「ブレ」、コンバータレンズに関する設定項目が「コンバータ」、階調補正に関する設定項目が「階調」、エッジ強調に関する設定項目が「エッジ」と表示されている。第１の項目表示部５２に表示される項目には、撮影条件としてシャッター速度や絞り値に関する設定項目も含まれている。設定項目の表示は、文字の代わりに各設定項目を表すアイコンで表示するようにしてもよい。また、設定されている状態がわかるように表示してもよい。」（【００２８】）
　
　　ケ　「次に、各ページ内に含まれている設定項目の設定操作について説明する。たとえば、図５(a)のようにページ１が選択されている状態で右向きのＡＦ領域選択ボタン１９dが操作されると、第１の項目表示部５２の１番目の選択項目がカーソルで選択される。この状態で再び右向きのＡＦ領域選択ボタン１９dが操作されると、図５(b)に示されるように１番目の設定項目であるホワイトバランス調整が選択される。このとき、第１の項目表示部５２において「ＷＢ」が強調表示されるとともに、タグ表示部５３に「ホワイトバランス」と表示され、さらに第２の操作説明表示部５５が新たに表示される。第２の操作説明表示部５５には、設定項目を設定するためにどのスイッチを操作すればよいかが表示される。図５(b)の例では、右向きのＡＦ領域選択ボタン１９dまたは選択ダイヤル１７(図１)を操作すればよいことを表している。」（【００３１】）
　　　「図５(b)のように、ホワイトバランス調整の設定項目が選択されている状態で右向きのＡＦ領域選択ボタン１９dが操作されると、図６(a)に示される第２の項目表示部５６が新たに表示される。第２の項目表示部５６には、第１の項目表示部５２において選択されている設定項目に関する選択項目が表示される。図６(a)の例ではホワイトバランス調整に関する選択項目が表示され、このうち、カーソルにより選択されている選択項目が選択されていない他の選択項目に比べて強調して(図中は白く)表示される。図６(a)において、撮影者が上向きのＡＦ領域選択ボタン１９aおよび下向きのＡＦ領域選択ボタン１９bを用いて、「オート」、「太陽光」、「電球」、…の中から、たとえば、「電球」を選択すると、上述した画像処理ＣＰＵ２９において、電球による照明光に応じたホワイトバランス調整が行われるようになる。すなわち、カーソルで選択項目が選択されると、直ちに電子スチルカメラ１の内部の設定状態が変化する。」（【００３２】）
　　　「図６(a)に示されるような第２の項目表示部５６が表示されている状態において、右向きのＡＦ領域選択ボタン１９dが操作されると、上述した図５(a)のページ番号を選択する設定変更画面に戻る。この状態で上向きのＡＦ領域選択ボタン１９aおよび下向きのＡＦ領域選択ボタン１９bを操作することにより別のページ番号を選択することができる。また、メニューボタン１５が操作されると、設定変更画面のオーバーレイ表示がオフになる。」（【００３３】）
　
　　コ　「本実施の形態による電子スチルカメラ１のメニュー処理を、図１０のフローチャートを参照して説明する。メニューボタン１５が操作されると、図１０のメニュー処理が行われる。ステップＳ３０１において、ＣＰＵ２１にメニュー処理実行中を示すメニューフラグがセットされ、ステップＳ３０２でＡＦ領域表示マーク４Ｖ〜４Ｚ(図４)の表示がオフされる。ステップＳ３０３において、設定変更画面表示がスルー画面に重ねてオーバレイ表示される。ステップＳ３０４において、上述した各設定項目に対する設定処理が行われる。ステップＳ３０５において、半押しスイッチ２２がオン操作されたか否かが判定され、否定判定される(ステップＳ３０５のＮ)とステップＳ３０６へ進み、肯定判定される(ステップＳ３０５のＹ)とステップＳ３１０へ進む。」（【００５０】）
　　　「ステップＳ３０６において、メニューボタン１５によりメニュー処理のオフ操作が行われたか否かが判定される。オフ操作されたと判定される(ステップＳ３０６のＹ)とステップＳ３０７へ進み、設定変更画面のオーバレイ表示がオフされる。一方、ステップＳ３０６においてオフ操作されたと判定されないとき(ステップＳ３０６のＮ)は、ステップＳ３０４へ戻って設定処理が繰り返される。ステップＳ３０８において、ＡＦ領域表示マーク４Ｖ〜４Ｚ(図４)の表示がオンされ、ステップＳ３０９においてメニューフラグがリセットされた後、図１０の処理が終了する。」（【００５１】）
　　　「ステップＳ３１０では、設定変更画面の状態、すなわち、表示中のページ番号およびカーソルで選択されている設定項目などの情報がＣＰＵ２１内のメモリに記憶される。続くステップＳ３１１において、設定変更画面のオーバーレイ表示がオフされた後、図９の撮影処理におけるステップＳ２０６へジャンプする。」（【００５２】）
　　　「図９のステップＳ２２０において肯定判定された場合(ステップＳ２２０のＹ)に、図１０のステップＳ３１２に続く処理が行われる。ステップＳ３１２において、前述のステップＳ３１０で記憶された設定変更画面の状態が読み出される。ステップＳ３１３において、読み出された設定変更画面の情報に基づいて設定変更画面のオーバーレイ表示がオンされた後、ステップＳ３０４の設定処理が行われる。」（【００５３】）
　　　「以上説明したように本実施の形態によれば、以下の作用効果がある。　（１）撮影ズームレンズ２を通して撮像されているスルー画面を表示ＬＣＤ３に表示している状態で、メニューボタン１５が操作されると、スルー画面に重ねて設定変更画面をオーバーレイ表示するようにした。したがって、実際に撮影ズームレンズ２を通して撮像され、画像処理が行われた結果を確認しながら調整を行うことが可能になる。とくに、ホワイトバランス調整、階調補正および露出補正の調整を行う場合に、操作性が向上して使いやすい電子カメラが得られる。
  ・・・ 」（【００５４】）
　
　（２）刊行物２：特開２００２−１０１３３号公報（上記引用文献４）
　　　原査定の拒絶の理由に引用された特開２００２−１０１３３号公報（以下「刊行物２」という。）には、「カメラ装置」（発明の名称）に関し、図面と共に次に掲げる事項が記載されている。
　　ア　「【発明の属する技術分野】本発明は、カメラ装置に関する。」（【０００１】）
　
　　イ　「【発明が解決しようとする課題】しかしながら、前述した複数の撮影モードに応じて撮影条件を自動的に設定するものでは、一般に撮影モードの数が少ないため、予め被写体の種別毎に用意する撮影条件の設定内容が最大公約数的なものとなる。したがって、全ての被写体に合致する撮影条件を設定することは不可能であり、また撮影者の好みに応じ撮影結果が得られるとは限らない。かかることから、より多くの撮影モードを用意することが考えられるが、その場合には、各撮影モードの違いが分かりにくくなり、特に初心者等に対しては撮影モードの設定に混乱を生じさせるという問題があった。」（【０００３】）
　　　「本発明は、かかる従来の課題に鑑みてなされたものであり、被写体に応じたより適切な撮影条件を容易に設定することができるカメラ装置を提供することを目的とする。」（【０００４】）
　
　　ウ　「【課題を解決するための手段】前記課題を解決するために請求項１の発明にあっては、被写体の種別に応じた複数の撮影モードが設定可能なカメラ装置であって、前記撮影モード毎に応じて撮影時における装置の撮影条件を制御する制御手段と、前記撮影モードに対応する被写体の見本となる複数の見本画像を記憶する見本画像記憶手段と、この見本画像記憶手段に記憶された見本画像を表示する表示手段と、この表示手段に表示されたいずれかの前記見本画像を選択する選択手段と、この選択手段により選択された見本画像に対応する撮影モードを設定する設定する設定手段とを備えたものとした。」（【０００５】）
　　　「かかる構成においては、表示手段に表示されたいずれかの見本画像が選択されると、見本画像によって表された被写体の種別に応じた撮影モードが自動的に設定される。したがって、使用者は、被写体の種別を直感的に理解することができる見本画像を介して、被写体の種別に応じた撮影モードの選択ができる。」（【０００６】）
　
　　エ　「また、ＭＲＯＭ１５は本発明の見本画像記憶手段および記憶手段であって、前述したデータとは別に、図３及び図４に示した撮影条件データ１０１、図５に示した付加情報データ１０２、図６（ａ）〜（ｃ）に例示したような複数の見本画像１０３を構成する画像データが記憶されている。なお、この図において各見本画像１０３を模式的な画像として示しているが、実際には現実に撮影された画像若しくはそれに準じた画像である。前記撮影条件データ１０１は、後述するシーンセレクトモードの設定時に選択可能な複数のシーン撮影モード（本実施の形態では２９種類）の各々に対応して予め設定されている電子スチルカメラ１の撮影条件を示すデータであって、より具体的には、図示したような以下のデータから構成されている。すなわち、フォーカス制御、シャッター速度、絞り、ＥＶシフト量、感度、・・・といった電子スチルカメラ１において制御可能な複数の制御項目の制御内容を示すパラメータにより構成されている。」（【００１９】）
　　オ　「図６に示した複数の見本画像１０３は、前記撮影条件データ、前記付加情報データと共に各シーン撮影モードに対応するとともに、各シーン撮影モードでの撮影に適した被写体の見本となる画像である。なお、図６（ａ）は、シーン撮影モードの「１」（人と風景１）に対応する見本画像、同図（ｂ）は、シーン撮影モードの「２」（人と風景２）に対応する見本画像、同図（ｃ）は、シーン撮影モードの「３」（アップ）に対応する見本画像の例である。」（【００２０】）
　
　　カ　「次に、以上の構成からなる電子スチルカメラ１において、前述したメニュー・キー５９の操作によりモード選択が指定された後の動作を図８のフローチャートに従って説明する。」（【００２２】）
　　　「すなわち、電子スチルカメラ１にあっては撮影モードの設定モードが選択されると、先ず、ＴＦＴ液晶モニター１８に図９に示したようなモード選択画面２０１を表示する（ステップＳ１）。モード選択画面２０１は、撮影者に従来技術で説明したと同様の「通常（フルオート）」、「ポートレート」、「風景」、「夜景」の３つの撮影モードと、本発明に係る撮影モードを指定するためのシーンセレクトモードと、所定の機能設定モードとのいずれかを選択させるための画面であって、これらの選択候補を示す表示するとともに、この画面を表示した状態において所定の操作に割り当てられているキーの説明を同時に表示する。」（【００２３】）
　　　「次に、機能設定モードが選択され、かつ所定のキー操作によって表示順の切り替え操作が行われたか否かを判別し（ステップＳ２）、表示順の切り替え操作が行われていなければ、引き続きシーンセレクトモードが選択されたか否かを判別する（ステップＳ３）。ここで、シーンセレクトモードが選択されなければ（ステップＳ３でＮＯ）、ステップＳ１へ戻って他のモードが選択されれば、そのモードの動作に移行する。一方、シーンセレクトモードが選択されていたときには、ＴＦＴ液晶モニター１８の表示を、図１０に示したシーンセレクト選択画面２０２へ切り替える（ステップＳ４）。」（【００２４】）
　　　「図１０は、初期設定状態におけるシーンセレクト選択画面２０２を示したものであり、ここで表示されるシーンセレクト選択画面２０２には、撮影モードのシーン番号「１」と、これに対応する見本画像１０３、付加情報つまりシーン説明（「風景と人物を写します。」）、アドバイス情報（「フレームが表示されます。」）を表示する。なお、対応する制御説明が存在するシーン番号の見本画像１０３を表示する場合には、その制御説明も表示する。また、シーンセレクト選択画面２０２にも、所定の操作に割り当てられているキーの説明も引き続き表示する。しかる後、選択ボタン（本実施の形態では、ズームボタン５４の［＋］と［−］）の操作に応じて、シーンセレクト選択画面２０２を構成するシーン番号「１」と見本画像１０３と付加情報とをシーン番号順に昇順又は降順に変更しながら変更、つまり送り表示を行う（ステップＳ５）。」（【００２５】）
　　　「一方、その間に、いずれかの見本画像１０３等が表示された状態、つまりいずれかの撮影モードが選択されている状態でシャッターキー５３（決定キー）が押されると（ステップＳ６でＹＥＳ）、先ず、前述した選択履歴テーブル１０４におけるシーン番号データの並び順を、ここで選択されている見本画像１０３が対応するシーン番号を表示順位の１番に対応する位置へ繰り上げるとともに、他のシーン番号を、それ以前の並び順を維持した状態で順次繰り下げる、選択履歴テーブル１０４の更新処理を行う（ステップＳ７）。次に、電子スチルカメラ１における撮影時の撮影条件を、選択された見本画像１０３が対応するシーン番号に応じて設定されているパラメータに基づき設定するとともに、ＲＥＣモードに移行しＴＦＴ液晶モニター１８にスルー画像を表示する（ステップＳ８）。つまり撮影待機状態となる。」（【００２６】）
　　　「つまり、撮影者によって、これから撮影しようとする被写体に対応する見本画像１０３が選択されると、その被写体の撮影に適した撮影条件が自動的に設定されることとなる。よって、従来よりも撮影条件が細かく設定された撮影モードが図３及び図４に示したように多数存在する場合であっても、撮影モードの設定に混乱を生じることなく、誰もが被写体により適切な撮影条件を容易に設定することが可能となる。同時に、撮影者の好みに応じた撮影結果を簡単に得ることができる。」（【００２７】）
　
　３　対比
　（１）引用発明
　　ア　上記２（１）オ〜キによれば、刊行物１には電子スチルカメラが記載されており、この電子スチルカメラは、表示ＬＣＤにスルー画像が表示され、レリーズスイッチがオン操作されると、画像データが記録媒体に記録されるものである。
　
　　イ　上記２（１）キ【００２０】によれば、画像処理ＣＰＵ２９は、ホワイトバランス調整を行うものである。
　　　メニューボタン１５は電子スチルカメラ１の撮影条件などを詳細に設定する場合に用いられるもので、メインスイッチ８が記録モード:RECに切換えられている状態でメニューボタン１５が操作されると、設定変更画面の表示がオンされる（上記２（１）ク【００２５】）。
　　　設定変更画面の表示は、表示ＬＣＤ３に表示されているスルー画面に重ねて、設定変更画面がオーバーレイ表示される（上記２（１）ク【００２６】）。
　　　設定変更画面の設定項目から、選択ボタンによりホワイトバランス調整が選択されると「ＷＢ」が強調表示される（上記２（１）ケ【００３１】）。
　　　ホワイトバランス調整が選択されている状態で選択ボタン１９ｄが操作されると、ホワイトバランスに関する選択項目が表示され、カーソルにより選択されている選択項目が強調して表示される。「オート」「太陽」「電球」・・・の中から「電球」を選択すると、画像処理ＣＰＵ２９において、電球による照明光に応じたホワイトバランス調整が行われる（上記２（１）ケ【００３２】）。
　
　　ウ　画像処理ＣＰＵ２９と表示画像作成回路３１は、複数の選択項目をスルー画像と共に表示手段に表示させる（上記２（１）カ【００１３】、上記２（１）ク【００２６】）。
　　　また、現在選択されている選択項目を他の選択項目に比べて強調して表示している（上記２（１）ケ【００３２】）。
　
　　エ　以上より、刊行物１には、次の発明（以下「引用発明」という。）が記載されていると認められる。
　
「被写体の画像を表示ＬＣＤにスルー画像として表示し、レリーズスイッチのオン操作により、画像データを記録媒体に記録する電子スチルカメラにおいて、
　電子スチルカメラの撮影条件を、選択項目の選択操作により選択された照明光に応じた撮影条件に制御する画像処理ＣＰＵ２９と、
　選択ボタンの操作により、選択項目が選択され、選択可能な複数の選択項目をスルー画像と共に表示ＬＣＤに表示させ、選択された選択項目を他の選択項目に比べ強調して表示する画像処理ＣＰＵ２９と表示画像作成回路３１
を備えたことを特徴とする電子スチルカメラ。」
　
　（２）対比
　　　補正後発明と引用発明とを対比する。
　　ア　「撮影待機状態で被写体の画像を表示手段にスルー画像として表示しながら、撮影操作に応答し前記画像を記録する撮影動作を行うカメラ装置」
　　　引用発明は、電子スチルカメラであり、表示ＬＣＤにはスルー画像が表示され、レリーズスイッチがオン操作されると、画像データが記録媒体に記録されるものである。記録モードにおいて、スルー画像を表示している状態は、画像を記録する前の状態であるから、「撮影待機状態」といえる。引用発明の「表示ＬＣＤ」は、補正後発明の「表示手段」に相当し、引用発明の「電子スチルカメラ」は、補正後発明の「カメラ装置」に相当する。また、引用発明の「被写体の画像を表示ＬＣＤにスルー画像として表示し、レリーズスイッチのオン操作により、画像データを記録媒体に記録する」ことは、補正後発明の「被写体の画像を表示手段にスルー画像として表示しながら、撮影操作に応答し前記画像を記録する撮影動作を行う」ことに相当する。
　　　したがって、補正後発明と引用発明とは、「撮影待機状態で被写体の画像を表示手段にスルー画像として表示しながら、撮影操作に応答し前記画像を記録する撮影動作を行うカメラ装置」において一致する。
　
　　イ　「前記撮影動作時における装置の撮影条件を、見本画像の選択操作により選択された撮影シーンに応じた撮影条件に制御する制御手段」
　　　引用発明の「画像処理ＣＰＵ２９」は、「電子スチルカメラの撮影条件を、選択項目の選択操作により選択された照明光に応じた撮影条件に制御する」ものである。
　　　引用発明の「電子スチルカメラ」は、補正後発明の「カメラ装置」に相当し、「撮影条件」は「撮影動作時における」ものといえる。
　　　以上より、引用発明の「電子スチルカメラの撮影条件を、選択項目の選択操作により選択された照明光に応じた撮影条件に制御する画像処理ＣＰＵ２９」は、補正後発明の「制御手段」と、「撮影動作時における装置の撮影条件を、選択する対象の選択操作により選択された撮影条件に制御する制御手段」という点で一致する。
　　　もっとも、補正後発明では、撮影条件が、「撮影シーン」に応じたものであり、撮影シーンを選択するために選択する対象が「見本画像」であるのに対し、引用発明では撮影条件が、「撮影シーン」に応じたものでなく、選択する対象が「見本画像」でない点で相違する。
　
　　ウ　「前記見本画像の選択操作により選択された撮影条件の選択を決定する撮影条件決定手段」
　　　上記イのとおり、引用発明では、選択項目を選択すると画像処理ＣＰＵ２９において選択された照明光に応じた撮影条件に設定されるから、選択項目を選択する選択ボタンは「選択操作により選択された撮影条件の選択を決定する撮影条件決定手段」といえる。
　　　もっとも、上記イと同様、補正後発明において選択操作により選択する対象が「見本画像」であるのに対し、引用発明においては「見本画像」でない点で相違する。
　
　　エ　「前記撮影モードでの撮影待機状態で、選択可能な複数の撮影シーンを示す複数の見本画像を前記スルー画像と共に前記表示手段に表示させ、さらに該複数の見本画像のうち、現在選択されている見本画像を他の見本画像と区別可能に表示するとともに、前記撮影条件決定手段により撮影条件が決定された際に選択決定された見本画像を一定時間だけ前記スルー画像と共に前記表示手段に表示させる表示制御手段」
　　（ア）「前記撮影モードでの撮影待機状態で、選択可能な複数の撮影シーンを示す複数の見本画像を前記スルー画像と共に前記表示手段に表示させ、さらに該複数の見本画像のうち、現在選択されている見本画像を他の見本画像と区別可能に表示するとともに、」
　　　補正後の請求項１の「前記撮影モードでの撮影待機状態で」の記載の前には、「撮影モードでの撮影待機状態」及び「撮影モード」の記載はないが、「撮影待機状態」の記載がある。そうすると、「前記撮影モードでの撮影待機状態」は、「撮影待機状態で被写体の画像を表示手段にスルー画像として表示しながら、撮影操作に応答し前記画像を記録する撮影動作」（上記ア参照）における「撮影待機状態」といえる。
　　　上記アのとおり、補正後発明と引用発明とは、「撮影待機状態で被写体の画像を表示手段にスルー画像として表示しながら、撮影操作に応答し前記画像を記録する撮影動作を行うカメラ装置」において一致しており、引用発明における、選択項目を共に表示ＬＣＤに表示するスルー画像表示状態は、レリーズスイッチのオン操作により、画像データを記録媒体に記録する状態であるから、「前記撮影モードでの撮影待機状態」といえる。
　　　引用発明は、選択項目をスルー画像と共に表示ＬＣＤに表示させる、画像処理ＣＰＵ２９と表示画像作成回路３１を有している（上記２（１）カ【００１３】、上記２（１）ク【００２６】）。画像処理ＣＰＵ２９と表示画像作成回路３１は、表示ＬＣＤを制御しているから「表示制御手段」といえる。
　　　また、引用発明は、現在選択されている選択項目を他の選択項目に比べて強調して表示している（上記２（１）ケ【００３２】）。
　　　補正後発明の「表示制御手段」は、「選択可能な複数の『撮影シーンを示す複数の見本画像』を前記スルー画像と共に前記表示手段に表示させ、さらに該複数の『見本画像』のうち、現在選択されている『見本画像』を他の『見本画像』と区別可能に表示する」ものであり、引用発明の「画像処理ＣＰＵ２９と表示画像作成回路３１」は、「選択可能な複数の『選択項目』をスルー画像と共に表示ＬＥＤに表示させ、選択された『選択項目』を他の『選択項目』に比べて強調して表示する」ものであるから、選択する対象（以下「選択対象」という。）として表示しているものが、補正後発明においては「見本画像」であるのに対し、引用発明においては「選択項目」であり、相違している。
　　　しかしながら、引用発明の「画像処理ＣＰＵ２９と表示画像作成回路３１」は、選択可能な複数の「選択対象」をスルー画像と共に表示手段に表示させており、複数の「選択対象」のうち、現在選択されている「選択対象」を他の「選択対象」に比べ強調して表示するものであり、現在選択されている「選択対象」を他の「選択対象」と区別可能に表示するものといえる。
　　　そうすると、引用発明の「画像処理ＣＰＵ２９と表示画像作成回路３１」は、補正後発明の「表示制御手段」と、「上記撮影モードでの撮影待機状態で、選択可能な複数の選択対象を前記スルー画像と共に前記表示手段に表示させ、さらに該複数の選択対象のうち、現在選択されている選択対象を他の選択対象と区別可能に表示させる表示制御手段」という点で一致する。
　　（イ）「前記撮影条件決定手段により撮影条件が決定された際に選択決定された見本画像を一定時間だけ前記スルー画像と共に前記表示手段に表示させる表示制御手段」
　　　引用発明は、照明光に応じた撮影条件に「画像処理ＣＰＵ２９」が制御し、「画像処理ＣＰＵ２９と表示画像作成回路３１」が選択可能な複数の選択項目をスルー画像と共に表示ＬＣＤに表示させ、選択ボタンの操作により選択された選択項目を他の選択項目に比べ強調して表示するものである。
　　　上記ウのとおり、「選択ボタン」は、「選択操作により選択された撮影条件の選択を決定する撮影条件決定手段」といえ、選択ボタンの操作により撮影条件が決定されるのであり、その選択項目は、スルー画像と共に表示ＬＣＤに表示されるものである。引用発明の「表示ＬＣＤ」は、補正後発明の「表示手段」に相当する。
　　　引用発明においては、選択決定されるものが「見本画像」ではないが、選択対象を選択して決定する点においては、補正後発明の「表示制御手段」と変わりない。
　　　以上から、引用発明の「画像処理ＣＰＵ２９と表示画像作成回路３１」は、補正後発明の「表示制御手段」と、「前記撮影条件決定手段により撮影条件が決定された際に選択決定された選択対象を前記スルー画像と共に前記表示手段に表示させる表示制御手段」として一致するといえる。
　　　もっとも、選択対象を、補正後発明においては「一定時間だけ」スルー画像と共に表示手段に表示させるのに対し、引用発明では「一定時間だけ」スルー画像と共に表示手段に表示させるものではない点で相違する。
　
　４　一致点、相違点
　　補正後発明と引用発明との一致点、相違点は以下のとおりである。
　
［一致点］
　撮影待機状態で被写体の画像を表示手段にスルー画像として表示しながら、撮影操作に応答し前記画像を記録する撮影動作を行うカメラ装置において、
　撮影動作時における装置の撮影条件を、選択対象の選択操作により選択された撮影条件に制御する制御手段と、
　選択操作により選択された撮影条件の選択を決定する撮影条件決定手段と、　
　前記撮影モードでの撮影待機状態で、選択可能な複数の選択対象を前記スルー画像と共に前記表示手段に表示させ、さらに該複数の選択対象のうち、現在選択されている選択対象を他の選択対象と区別可能に表示するとともに、前記撮影条件決定手段により撮影条件が決定された際に選択決定された選択対象を前記スルー画像と共に前記表示手段に表示させる表示制御手段
を備えたことを特徴とするカメラ装置。
　
［相違点１］
　補正後発明では、撮影条件が、「撮影シーン」に応じたものであり、撮影シーンを選択するための選択対象が「見本画像」であるのに対し、引用発明では撮影条件が、「撮影シーン」に応じたものでなく、選択対象が「見本画像」でない点。
［相違点２］
　選択対象を、補正後発明においては「一定時間だけ」スルー画像と共に表示手段に表示させるのに対し、引用発明では「一定時間だけ」スルー画像と共に表示手段に表示させるものではない点。
　
　５　相違点等の判断
［相違点１］について
　（刊行物２に記載された発明）
　上記２（２）エの記載、刊行物２の図３及び図４によれば、「撮影条件データ１０１は、・・・シーンセレクトモードの設定時に選択可能な複数のシーン撮影モード・・・の各々に対応して予め設定されている電子スチルカメラ１の撮影条件を示すデータ」である。また、上記２（２）オの記載、刊行物２の図６によれば、「複数の見本画像１０３は、前記撮影条件データ、・・・と共に各シーン撮影モードに対応すると共に、各シーン撮影モードでの撮影に適した被写体の見本となる画像」である。
　上記２（２）カの記載、刊行物２の図１０によれば、「シーンセレクト選択画面２０２には、撮影モードのシーン番号「１」と、これに対応する見本画像１０３・・を表示」し、「いずれかの見本画像１０３等が表示された状態、つまりいずれかの撮影モードが選択されている状態でシャッターキー５３（決定キー）が押されると・・・電子スチルカメラ１における撮影時の撮影条件を、選択された見本画像１０３が対応するシーン番号に応じて設定されているパラメータに基づき設定する」ものである。
　以上より、刊行物２には、「撮影条件を撮影シーンに応じたものとし、撮影シーンを選択するための選択対象を見本画像とし、見本画像が選択されると撮影条件が設定されるカメラ装置」の発明が記載されていると認められる。
　
　（判断）
　引用発明と刊行物２に記載された発明とは、ともに、カメラ装置において撮影条件を設定するものであり、カメラ装置の撮影条件としては様々な条件が存在することは明らかであるから、引用発明の撮影条件を撮影シーンに応じた撮影条件とすることは当業者にとって容易に想到し得たことである。また、刊行物２に記載された発明は、撮影シーンを選択するための選択対象を見本画像とするものであるから、引用発明に刊行物２に記載された発明を適用して、撮影シーンを選択するための選択対象を見本画像とすることは、当業者にとって容易に想到し得たことである。
　
［相違点２］について
　（周知技術）
　設定をする手法として、設定画面を一定時間表示することは、周知技術である。このことは、例えば、刊行物３（特開平７−２８３９９３号公報）、刊行物４（特開平５−２９２３５８号公報）、刊行物５（特開平７−１７０４６６号公報）に示されている。具体的な記載は以下のとおりである。　　
　
　刊行物３：特開平７−２８３９９３号公報
　「・・・視線ＡＦモードの動作中のように、取り込み領域が移動して、現在どの部分の被写体情報を取り込んでいるかの確認が必要な時にのみ取り込み領域を表示し、」（【００９８】）
　「また視線ＡＦモードにおいて、焦点検出領域及び測光領域等の映像情報取り込み領域を移動してホールドした際、すぐに領域表示を消さずに
所定時間表示した後消している
　
　刊行物４：特開平５−２９２３５８号公報
　「残りの設定モードはいずれも画面Ｓ内にキャラクタで表示される。キャラクタは図９と同じようなキャラクタである。
キャラクタの表示は通常モード設定後一定時間（例えば数秒）であって
　
　刊行物５：特開平７−１７０４６６号公報
　「・・・操作結果の情報などを画面の画像上に、例えばスーパーインポーズの状態で表示して、ユーザーの操作の便宜を図るようにしている。」（【０００２】）
　「通常、上述のような
文字や図形による情報の画面表示は、操作後、適宜の所定時間が経過すると消えるように設定される
　
　（判断）
　設定する手法として、設定画面を一定時間表示させることは、上記のとおり周知技術であり、引用発明に周知技術を適用して、選択対象を一定時間スルー画面と共に表示させるようにすることは、当業者にとって容易に想到し得たことである。
　
　　以上のように、相違点１から２に係る構成はいずれも当業者が容易に想到できたものである。そして、これらの相違点に係る構成を総合しても、補正後発明が奏する効果は、当業者が容易に予測できたものである。
　
　６　まとめ
　　以上、補正後発明は、刊行物１、２に記載された発明及び周知技術に基づいて、当業者が容易に発明をすることができたものであるから、特許法２９条２項の規定により特許出願の際独立して特許を受けることができない。
　
第３　本願発明について
　１　本願発明
　　平成１７年１２月１５日付けの手続補正は、上記のとおり却下されたので、本願の請求項１〜請求項５に係る発明は、平成１７年６月１７日付け手続補正により補正された明細書及び図面の記載からみて、その特許請求の範囲の請求項１〜請求項５に記載した事項により特定されるとおりのものであるところ、請求項１に係る発明（以下「本願発明」という。）は次のとおりである。
　
「撮影待機状態で被写体の画像を表示手段にスルー画像として表示しながら、撮影操作に応答し前記画像を記録する撮影動作を行うカメラ装置において、
前記撮影動作時における装置の撮影条件を、見本画像の選択操作により選択された撮影シーンに応じた撮影条件に制御する制御手段と、
前記撮影モードでの撮影待機状態で、選択可能な複数の撮影シーンを示す複数の見本画像を前記スルー画像と共に前記表示手段に表示させ、さらに該複数の見本画像のうち、現在選択されている見本画像を他の見本画像と区別可能に表示する表示制御手段を備えたことを特徴とするカメラ装置。」
　
　２　引用文献
　　原査定の拒絶の理由に引用された引用文献１及び引用文献４の記載事項は、前記第２の２（１）、（２）に記載したとおりである。
　
　３　対比
　　引用文献１に記載された発明は、引用発明と同じである（上記第２の３（１））。
　　本願発明と引用文献１に記載された発明を対比する。
　（１）「撮影待機状態で被写体の画像を表示手段にスルー画像として表示しながら、撮影操作に応答し前記画像を記録する撮影動作を行うカメラ装置」
　　　上記第２の３（２）アと同様である。
　（２）「前記撮影動作時における装置の撮影条件を、見本画像の選択操作により選択された撮影シーンに応じた撮影条件に制御する制御手段」
　　　上記第２の３（２）イと同様である。
　（３）「前記撮影モードでの撮影待機状態で、選択可能な複数の撮影シーンを示す複数の見本画像を前記スルー画像と共に前記表示手段に表示させ、さらに該複数の見本画像のうち、現在選択されている見本画像を他の見本画像と区別可能に表示する表示制御手段」
　　　上記第２の３（２）エ（ア）と同様である。
　
　　そうすると、本願発明と引用文献１に記載された発明の一致点、相違点は次のとおりである。
　
［一致点］
　撮影待機状態で被写体の画像を表示手段にスルー画像として表示しながら、撮影操作に応答し前記画像を記録する撮影動作を行うカメラ装置において、
　撮影動作時における装置の撮影条件を、選択操作により選択された撮影条件に制御する制御手段と、
　前記撮影モードでの撮影待機状態で、選択可能な複数の選択対象を前記スルー画像と共に前記表示手段に表示させ、さらに該複数の選択対象のうち、現在選択されている選択対象を他の選択対象と区別可能に表示する表示制御手段
を備えたことを特徴とするカメラ装置。
　
［相違点］
　本願発明では、撮影条件が、「撮影シーン」に応じたものであり、撮影シーンを選択するための選択対象が「見本画像」であるのに対し、引用発明では撮影条件が、「撮影シーン」に応じたものでなく、選択対象が「見本画像」でない点。
　
　４　判断
　　［相違点］については、補正後発明に係る相違点１の判断（上記第２の５）と同様である。
　
　５　むすび
　　以上のとおり、本願の請求項１に係る発明は、引用文献１及び引用文献４に記載された発明に基づいて、当業者が容易に発明することができたものであるから、特許法２９条２項の規定により特許を受けることができない。
　
第４　むすび
　以上のとおり、本願の請求項１に係る発明は、引用文献１及び引用文献４に記載された発明に基づいて、当業者が容易に発明することができたものであるから、特許法２９条２項の規定により特許を受けることができない。
　したがって、残る請求項２〜請求項５に係る発明について検討するまでもなく、本願は拒絶されるべきものである。
　
　よって、結論のように審決する。